(57)【要約】  閉鎖空間と連通している容器タイプのピストンを有し、前記閉鎖空間は、少なくとも実質的に一定の体積を有するピストンチャンバの組合せである。
2012514203.tif 000002
【特許請求の範囲】
【請求項１】
内側チャンバ壁に区画された細長状チャンバと、
前記チャンバの少なくとも第一長手方向位置及び第二長手方向位置の間で前記チャンバに対して気密に移動可能である、前記チャンバ内にあるピストン手段と、
を備え、
前記チャンバは、当該チャンバの第一及び第二長手方向位置において、異なる断面積を有する断面を有し、前記第一及び第二長手方向位置の中間の長手方向位置において、少なくとも実質的に連続的に異なる断面積を有する断面を有し、
前記第一長手方向位置における断面積は、前記第二長手方向位置における断面積よりも大きく、
前記ピストン手段は、前記チャンバの第一長手方向位置から前記中間の長手方向位置を通って第二長手方向位置へ当該ピストン手段が相対移動する間において、それ自身及び前記密封手段を前記チャンバの前記異なる断面積に適合させるように、構成されており、
前記ピストン手段は、変形可能な材料を含む弾性的に変形可能な容器を有し、
前記ピストン手段は、変形可能な容器と連通する閉鎖空間を有し、
前記閉鎖空間は、少なくとも実質的に一定の容積を有する
ことを特徴とするピストンチャンバの組合せ。
【請求項２】
内側チャンバ壁に区画された細長状チャンバと、
前記チャンバの少なくとも第一長手方向位置及び第二長手方向位置の間で前記チャンバ壁に対して気密に移動可能である、前記チャンバ内にあるピストンと、
を備え、
前記チャンバは、前記第一及び第二長手方向位置において、異なる断面積及び異なる周方向長さを有する断面を有し、前記第一及び第二長手方向位置の中間の長手方向位置において、少なくとも実質的に連続的に異なる断面積及び周方向長さを有する断面を有し、
前記第二長手方向位置における断面積は、前記第一長手方向位置における断面積よりも小さく、
前記第二長手方向位置における周方向長さは、前記第一長手方向位置における周方向長さよりも短く、
前記ピストンは弾性的に変形可能な容器を有し、それ故に、前記チャンバの前記中間の長手方向位置を通って前記第一及び第二長手方向位置の間を前記ピストンが相対移動する間において、前記ピストンの異なる断面積及び周方向長さを前記チャンバの前記異なる断面積及び異なる周方向長さに適合させることを提供し、
前記ピストンの周方向長さが前記第二長手方向位置における前記チャンバの周方向長さに略等しいというような、応力のない無変形状態において、前記容器の製造サイズを有するように前記ピストンは製造され、
前記容器は、前記チャンバの長手方向に関して横断する方向に前記製造サイズから膨張可能であり、それ故に、前記第二長手方向位置から前記第一長手方向位置へ前記ピストンが相対移動する間において、前記製造サイズから前記ピストンが膨張することを提供し、
前記ピストン手段は、変形可能な容器と連通する閉鎖空間を有し、
前記閉鎖空間は、少なくとも実質的に一定の容積を有する
ことを特徴とするピストンチャンバの組合せ。
【請求項３】
ピストンロッドを更に備え、
当該ピストンロッドは、前記閉鎖空間を有し、
前記閉鎖空間は、行き止まりの端部を有する
ことを特徴とする請求項１または２に記載のピストンチャンバの組合せ。
【請求項４】
前記容器は、膨張可能であり、
前記閉鎖空間の吸入口が、逆止弁を有する
ことを特徴とする請求項１または２に記載のピストンチャンバの組合せ。
【請求項５】
計測システムを更に備え、
センサとゲージとが、ワイヤルーム（wire loom）によって接続されており、
前記閉鎖空間は、前記ワイヤルームの組立体によって囲まれており、
前記ワイヤルームの組立体は、前記閉鎖空間を密閉する部材に埋め込まれており、
前記ゲージは、前記ピストンロッドの先端に配置されている
ことを特徴とする請求項１乃至４のいずれかに記載のピストンチャンバの組合せ。
【請求項６】
前記密閉する部材は、前記中空ピストンロッドの段付き形状に嵌合しており、
前記段付き形状は、最小直径を有し、前記ピストンの先端に最も近い
ことを特徴とする請求項５に記載のピストンチャンバの組合せ。
【請求項７】
ゲージと、
パラメータが計測される閉鎖計測空間と、
を含む計測システムを更に備え、
前記閉鎖空間は、Ｏリング及びチューブによって閉鎖されており、
前記閉鎖空間は、前記閉鎖計測空間を含む前記チューブを含んでいる
ことを特徴とする請求項１または２に記載のピストンチャンバの組合せ。
【請求項８】
ゲージと、
パラメータが計測される閉鎖計測空間と、
を含む計測システムを更に備え、
前記閉鎖空間は、前記ゲージのハウジングと前記ゲージとの間にある密封材によって閉鎖されている
ことを特徴とする請求項１または２に記載のピストンチャンバの組合せ。
【請求項９】
前記ゲージは、前記センサを含み、
前記センサは、前記閉鎖計測空間と連通している
ことを特徴とする請求項７または８に記載のピストンチャンバの組合せ。
【請求項１０】
流体を押し出すためのポンプであって、当該ポンプは、
請求項１乃至９のいずれかに記載のピストンチャンバの組合せと、
前記チャンバの外部の位置から前記ピストン手段に係合するための手段と、
前記チャンバに接続され、バルブ手段を含む流体入口と、
前記チャンバに接続された流体出口と、
を備えた
ことを特徴とするポンプ。
【請求項１１】
前記係合手段は、
前記ピストン手段が前記チャンバの第一長手方向位置にある外部位置と、
前記ピストン手段が前記チャンバの第二長手方向位置にある内部位置と、
を有する
ことを特徴とする請求項１０に記載のポンプ。
【請求項１２】
前記係合手段は、
前記ピストン手段が前記チャンバの第二長手方向位置にある外部位置と、
前記ピストン手段が前記チャンバの第一長手方向位置にある内部位置と、
を有する
ことを特徴とする請求項１０に記載のポンプ。
【請求項１３】
請求項１乃至９のいずれかに記載のピストンチャンバの組合せと、
前記チャンバの外部の位置から前記ピストン手段に係合するための手段と、
を備え、
前記係合手段は、前記ピストン手段が前記チャンバの第一長手方向位置にある外部位置と、前記ピストン手段が前記チャンバの第二長手方向位置にある内部位置と、を有する
ことを特徴とするショックアブソーバ。
【請求項１４】
前記チャンバに接続され、バルブ手段を有する流体入口
を更に備えたことを特徴とする請求項１３に記載のショックアブソーバ。
【請求項１５】
前記チャンバに接続され、バルブ手段を有する流体出口
を更に備えたことを特徴とする請求項１３または１４に記載のショックアブソーバ。
【請求項１６】
前記チャンバ及び前記ピストン手段は、少なくとも実質的に密封された空洞を形成し、
前記空洞は、流体を含み、
前記ピストン手段が前記チャンバの第一長手方向位置から第二長手方向位置に移動する際、前記流体は圧縮される
ことを特徴とする請求項１３乃至１５のいずれかに記載のショックアブソーバ。
【請求項１７】
前記チャンバの前記第一長手方向位置に向けて前記ピストン手段を付勢するための手段
を更に備えたことを特徴とする請求項１３乃至１５のいずれかに記載のショックアブソーバ。
【請求項１８】
請求項１乃至９のいずれかに記載のピストンチャンバの組合せと、
前記チャンバの外部の位置から前記ピストン手段に係合するための手段と、
前記チャンバの第一及び第二長手方向位置の間で前記ピストン手段を移動させるべく、流体を前記チャンバ内に導入するための手段と、
を備えたことを特徴とするアクチュエータ。
【請求項１９】
前記チャンバに接続され、バルブ手段を有する流体入口
を更に備えたことを特徴とする請求項１８に記載のアクチュエータ。
【請求項２０】
前記チャンバに接続され、バルブ手段を有する流体出口
を更に備えたことを特徴とする請求項１８または１９に記載のアクチュエータ。
【請求項２１】
前記チャンバの前記第一長手方向位置または前記第二長手方向位置に向けて前記ピストン手段を付勢するための手段
を更に備えたことを特徴とする請求項１８乃至２０のいずれかに記載のアクチュエータ。
【請求項２２】
前記導入手段は、前記チャンバ内に圧縮流体を導入するための手段を備える
ことを特徴とする請求項１８乃至２１のいずれかに記載のアクチュエータ。
【請求項２３】
前記導入手段は、ガソリンまたはディーゼルのような可燃性流体を前記チャンバ内に導入するようになっており、
当該アクチュエータは、前記可燃性流体を燃焼させるための手段を更に備える
ことを特徴とする請求項１８乃至２１のいずれかに記載のアクチュエータ。
【請求項２４】
前記導入手段は、膨張性流体を前記チャンバ内に導入するようになっており、
当該アクチュエータは、前記膨張性流体を膨張させるための手段を更に備える
ことを特徴とする請求項１８乃至２１のいずれかに記載のアクチュエータ。
【請求項２５】
前記ピストン手段の並進運動を自身の回転運動に変換するように構成されたクランク
を更に備えたことを特徴とする請求項１８乃至２１のいずれかに記載のアクチュエータ。
【発明の詳細な説明】
【技術分野】
【０００１】
内側チャンバ壁に区画された細長状チャンバと、前記チャンバの少なくとも第一長手方向位置及び第二長手方向位置の間で前記チャンバに対して気密に移動可能である、前記チャンバ内にあるピストン手段と、を備え、前記チャンバは、当該チャンバの第一及び第二長手方向位置において、異なる断面積を有する断面を有し、前記第一及び第二長手方向位置の中間の長手方向位置において、少なくとも実質的に連続的に異なる断面積を有する断面を有し、前記第一長手方向位置における断面積は、前記第二長手方向位置における断面積よりも大きく、前記ピストン手段は、前記チャンバの第一長手方向位置から前記中間の長手方向位置を通って第二長手方向位置へ当該ピストン手段が相対移動する間において、それ自身及び前記密封手段を前記チャンバの前記異なる断面積に適合させるように、構成されており、前記ピストン手段は、変形可能な材料を含む弾性的に変形可能な容器を有し、前記ピストン手段は、変形可能な容器と連通する閉鎖空間を有するピストンチャンバの組合せに関する。
【０００２】
（発明の背景）
欧州特許第１１７９１４０（Ｂ１）号明細書には、閉鎖空間１２５と連通して、弾性的に変形可能な容器タイプのピストンを備えるピストンチャンバの組合せが開示されている。前記空間は、可変の容積を有している。小さな構造体内に、前記容積が可変であることを可能にする機能を無理に「詰込む」ことはできない。更に、当該構造体を信頼できるものにするには、そのような構造体は、多大な費用を要し得る。
【０００３】
欧州特許第１３８４００４（Ｂ１）号明細書には、ピストンの周方向長さが第二長手方向位置におけるチャンバの周方向長さに略等しいというような、応力のない無変形状態において、容器の製造サイズを有するように前記ピストンは製造され、前記容器は、前記チャンバの長手方向に関して横断する方向に前記製造サイズから膨張可能であり、それ故に、前記第二長手方向位置から第一長手方向位置へ前記ピストンが相対移動する間において、前記製造サイズから前記ピストンが膨張することを提供する容器タイプのピストンが開示されている。前記製造サイズから膨張し、かつ、前記製造サイズに戻るべく、前記ピストンの内部圧力に関連する前記ピストンの体積変化に対処するために、閉鎖空間を有する必要がある。前記体積変化を可能にする構造体の小さな寸法と部材の複雑さとが、可変な容積を有し、信頼性があり、持続的で、経済的な、閉鎖空間を有する可能性を起こり難くする。
【０００４】
この発明は、ピストンチャンバの組合せ、例えばフロアポンプの手動操作によるタイヤの圧力又は温度等のパラメータの読取りを人間工学的に最適化するという問題の解決策とともに着手された。現行の圧力ゲージは使用者から離れたところに位置するので、彼女又は彼は、通常の読取りを可能とするために望遠鏡又は双眼鏡を持つ必要がある。使用者はそのような視覚向上具を使用しないだろうから、多くの圧力ゲージには、圧力ゲージの指標とは異なる、手動で回転可能な色の指標が装備されている。最初に上記指標は所望の目的圧力を指し示し、ポンプ期間の前に設定される。その後、両方の指標の位置の差の距離を評価するのがより容易となる。問題は、タイヤの目的圧力は通常互いに異なり、ポンプ動作を開始する前にほとんど毎回、指標を設定する必要があることである。これは快適ではない。
【０００５】
この理由は全て、大抵の現行のポンプにおいて、タイヤの圧力は、ポンプのホース内で空気圧によって測定されるということにある。このことによって、少なくとも高圧ポンプにおいてはポンプとそのホースとの間に逆止弁があるという事実のため、ポンプのホースから、ポンプの使用者に最も近いピストンチャンバの組合せの他の部分、通常はチャンバ、への空気圧情報の伝達が妨げられる。
【０００６】
一般的に用いられる解決策は、この伝達に無線（＝電磁波によって）送信を用いることである。しかしながら、それは通常、電子部品、具体的にはバッテリー又は他の電源を使用することを意味する。これは高価で、資源を必要とし、またバッテリーの交換は、一般的な使用者が行うには不安である。
【０００７】
（発明の目的）
本発明の目的は、簡略で、信頼性があり、持続的で、経済的な閉鎖空間を得るための解決策と、パラメータを計測するための解決策と、を提供することである。
【０００８】
（発明の概要）
本発明は、周方向を横断する断面の外周の寸法が略一定である容器タイプのピストンに随意的に利用される。  
好ましくは、前記ピストンは膨張可能である。  
好ましくは、前記ピストンの壁は、補強手段を有する。
【０００９】
長手方向を通る断面において、前記容器は、チャンバの第一長手方向位置に配置される場合、随意的に第一形状を有し得る。当該第一形状は、前記容器が前記チャンバの第二長手方向に配置される場合に有する第二形状とは異なる。変形可能な部材の少なくとも一部は、圧縮可能であり得る。前記第一形状は、前記第二形状の面積よりも大きい面積を有し得る。変形可能な部材は、最小の非圧縮性を実質的に有し得る。
【００１０】
前記ピストンは、弾性的に変形可能な壁を有する弾性的に変形可能な容器と、前記壁の内部に変形可能な物質と、を備える。前記物質は、前記壁の材料とは異なっている、及び／または、前記壁の材料とは異なる特徴を有する。前記壁の内部にある変形可能な物質は、流体または流体の混合物または泡状物質である。
【００１１】
容器タイプのピストンは、好ましくは、前記ピストンの周方向長さが前記第二長手方向位置における前記チャンバの周方向長さに略等しいというような、応力のない無変形状態において、前記容器の製造サイズを有するように前記ピストンは製造され、前記容器は、前記チャンバの長手方向に関して横断する方向に前記製造サイズから随意に膨張可能であり、それ故に、前記第二長手方向位置から前記第一長手方向位置へ前記ピストンが相対移動する間において、前記製造サイズから前記ピストンが膨張することを提供し得る。
【００１２】
例えば膨張可能なピストンの前記製造サイズから膨張し、かつ、前記製造サイズに戻るべく、前記ピストンの内部圧力に関連する前記ピストンの体積変化に対処するために、閉鎖空間を有する必要があり得る。前記閉鎖空間は、前記容器の余分な容積として機能する。
【００１３】
第一の特徴において、本発明は、前記閉鎖空間の容積が少なくとも実質的に一定である、ピストンチャンバの組合せに関する。
【００１４】
例えばポンプのような装置の設計は、可変ではない容積を有する閉鎖空間が出発点であろう。それにもかかわらず、例えば細長状チャンバ内を動く際に、所定の内部圧力を維持する要求に応じるべく、前記ピストンは可変の容積を有し得り、前記閉鎖空間は余分な容積として利用される。このことは、例えば前記チャンバ壁の気密性を維持するために必要である。
【００１５】
最良の解決策は、前記閉鎖空間の容積の可変性を制御している付加的な部材をただ回避することである。前記閉鎖空間は、前記ピストンと連通する閉鎖されたチャンバでもよい。これにより、前記ピストンの内部に開口端部を有し、残りの部分は閉じられているので、前記閉鎖空間の容積は、一定のままである。前記容積は、随意に調整可能である。
【００１６】
例えば革新的なタイヤ空気入れポンプのような、ピストンチャンバの組合せについては特に、ストロークの間、チャンバの断面積が異なる場合、これらのポンプの作用する力の大きさは、もはやタイヤの圧力の大きさを表さず、ポンプのストローク時に使用者の近く、例えばフロアポンプの場合であればピストンロッドの上の取手の近くに、ゲージのタイヤ圧力について信頼性があり高価でない読取部を有することが必要である。前記ピストンロッドは中空であり、容器タイプのピストンのための閉鎖空間として利用され得る。前記ピストンロッドを通過するようにチューブが設けられ得る。当該チューブは、前記チャンバからピストンの内部を通って、例えば前記ピストンロッドの先端に配置されたゲージまで及ぶ。前記チューブは、当該チューブ内部に閉鎖計測空間を備える。前記閉鎖空間内では、例えば圧力のような前記チャンバにおける変数が計測され得る。
【００１７】
前記ゲージは、空気式マイクロメータ（マノメータ）であり得る。あるいは、前記ゲージは、電気式ゲージまたは電子式ゲージであり得る。センサが、例えばゲージハウジング内のような、閉鎖計測空間の先端近傍に配置される場合には、閉鎖計測空間の閉鎖空間を通過するワイヤルームが回避し得る。
【００１８】
第二の特徴において、本発明は、前記ピストンは、膨張可能であり、前記閉鎖空間の吸入口が、逆止弁を有する、ピストンチャンバの組合せに関する。前記ピストンの壁内に変形可能な物質（流体または流体の混合物及び／または泡状物質）を注入するべく、必要ならば前記ピストンを更に加圧して、前記閉鎖空間は、吸入口を有し得る。前記閉鎖空間の容積を一定に保つためには、前記吸入口における漏れは避けなければならない。これは、逆止弁によって対処される。例えば前記ピストンの保守目的のような副次的な収縮は、逆止弁の玉を当該逆止弁内部の位置に押し込めることによって、手動でなされ得る。
【００１９】
第三の特徴において、本発明は、前記ピストンロッドの底部に配置されているセンサと、前記ピストンロッドの先端に配置されているゲージと、を備え、前記センサとゲージとが、前記閉鎖空間を通るワイヤルームを通るように接続されており、前記ワイヤルームは、前記吸入口及び排出口を密閉する部材に埋め込まれており、前記ワイヤルームは、前記閉鎖空間内の前記排出口で段階移行部を備える、ピストンチャンバの組合せに関する。
【００２０】
前記ワイヤルームの入口と出口とは、前記閉鎖空間の容積を不変に維持するべく、１００％気密されている。これは、前記ワイヤルームを部材に埋め込むことによってなされ得る。前記部材は、前記入口地点と出口地点においてワイヤルーム周囲の残りの孔を気密する。前記ワイヤルームと密封材とが、前記閉鎖空間内で前記流体または泡状物質によって押し伸ばされることを回避するべく、前記閉鎖空間は段階移行部を有している。前記密封材が塗布される前記ピストンロッドの先端の最も近くに最小の直径がある。
【００２１】
第四の特徴において、本発明は、前記ピストンロッドの底部に吸入口を有する計測空間と、前記ピストンロッドの先端において、前記閉鎖空間を通るチューブ内で流路によって連接されたゲージと、を備え、Ｏリングが、少なくとも前記ピストンロッドの先端で、前記チューブを気密する、ピストンチャンバの組合せに関する。
【００２２】
第五の特徴において、本発明は、ゲージと、パラメータが計測される閉鎖計測空間と、
を含む計測システムを更に備え、前記閉鎖空間は、前記ゲージハウジングと前記ゲージとの間にある密封材によって閉鎖され得る、組合せに関する。
【００２３】
前記ピストンから離れている前記チャンバを閉鎖する他の解決策は、あり得るが、示されない。
【００２４】
そして、前記ゲージは、前記センサを含む場合があり、前記センサは、前記閉鎖計測空間と連通し得る、組合せである。
【００２５】
第一の特徴において、本発明は、閉鎖空間内で計測が行われて、前記閉鎖空間は計測される前記パラメータの大きさに関して当該機器を示し、前記空間は当該読取装置の近傍に配置される、センサ読取器の組合せに関する。
【００２６】
互いに対して移動する組合せの部品間のパラメータ値情報を伝達するための明らかな解決策は、例えば、各端部が各部品へ接続されるであろう弾性のある導線によることである。高圧のポンプでは、そのような導線の寿命は、ポンプ内部の厳しい環境によって悪影響を受けるであろうし、もしそうでなくとも、解決策は高価になるだろう。
【００２７】
別の明らかな解決策は、ストローク時に互いに対して滑動する接点を用いることであろうが、例えば接点レールが移動部品の一つに接続され、一方、接点（柔軟性細片、又はバネ力で動作する接点）は前記レール上を摺動し、もう一方の部品に接続されるであろう。ポンプ内部の厳しい環境では、あまり信頼性のある解決策ではない。そして、これでは、フロアポンプにおいて用いられると、たぶん、取手が、ポンプを快適に動かすのに十分に回転するのが妨げられるだろう。この解決策も同様に高価であり、あまり信頼性がないだろう。
【００２８】
明らかな無線による解決策は、ポンプのホース内の例えば圧力を測定し、ピストンロッド上の受信機に無線で情報を送信し、使用者によって操作される取手の上のゲージに読取部を有することである。この解決策は信頼性があるように思われるが、この解決策は、二つの異なる場所に電源を持つことだけで既に高価となる。
【００２９】
より良い解決策を得なければならない。
【００３０】
この発明では、過圧時又はタイヤ内圧力に対してポンプの圧力が均衡する直前に、空気を入れるべきタイヤの空間が、ピストン下のポンプ内の空間と直接に接触するという事実がある。それは、ポンプのピストン下の空間内の、そして高圧ポンプの場合には、ピストン下の前記空間と、タイヤバルブに取り付けられるバルブコネクタにポンプを接続するホースとの間に通常位置する逆止弁の前の前記パラメータを測定することによって、タイヤ内の圧力／温度の大きさが読取り可能となるであろうということを意味する。前記空間は、測定空間と呼ばれる。測定空間はピストンロッドの底部分を包囲し、それによって、センサ（マノメータ内の圧縮バネ、又は、前記ピストンロッド端部に取り付けられ或いはプリント基板に取り付けられ、流路で測定空間に接続される変換器）と、前記ピストンロッドを通って、ピストンロッドの上の読取器（それぞれ、マノメータ又は電圧／電流計又は電子ディスプレイ）へ、流路（空気的に）又は導線（電気的に）によって伝達が可能となるであろう。前記流路は、前記ピストンロッド端部にて終わる。
【００３１】
第二の特徴では、本発明は、センサ読取器の組合せに関し、前記測定空間は、動作の一部の間、前記装置と伝達を行う。
【００３２】
タイヤ空気入れ用の現行のポンプの場合、タイヤの圧力の測定は、ポンプのホース内でなされる。このホースは、一端では逆止弁を通ってチャンバに接続され、他端ではバルブコネクタに接続される。逆止弁は、ポンプのデッドスペースの大きさを制限する。現行の低圧ポンプには逆止弁が存在しないが、圧力ゲージは通常使用されない。
【００３３】
ホース内空間とタイヤ空間との間に圧力均衡がある場合にはタイヤバルブが閉じるため、ホース内の圧力は、タイヤ内の圧力をより表すであろう。このことは、現行のポンプにおいて、ピストンがポンプのストローク後にその終点に達し、戻り始めるとき、よってチャンバ内の過圧が低下するときに起こる。その理由は、この時点でも同様に、シリンダとホースとの間の逆止弁が閉じているからである。ピストンが新しいストロークのために戻ろうとしているとき、ピストンと前記逆止弁との間のチャンバの空間内の圧力は、同様にタイヤ圧力をより表すであろう。これは、ピストンと逆止弁との間の空間の近傍にあるピストン（ロッド）の端部において、圧力を測定することができるという解決策を開く。よって、センサ（測定手段）及び読取手段を、部品のうちの一つ、例えばタイヤ空気入れ用のポンプ内のピストン（ロッド）上に設けてもよい。ピストンロッドの案内手段用の表面を可能とするため、センサは、ピストンロッド上、最も良いのはピストンロッドの端部に置くことができる。そこで、ピストンロッドの取手の上、よって使用者に最も近いところに位置するゲージ上に読取部を有することが可能となり、動作時に読取り可能となるであろう。
【００３４】
例えば、圧力読取りの場合、この読取りは空気式圧力ゲージによってなされ、ゲージは、例えばチューブ内部の流路によって、ピストンとバルブコネクタ又は逆止弁との間の測定空間へ接続される。例えばバイメタルセンサで温度が測定されている場合も同じである。流路の小さな寸法及びその長さは、動的摩擦を生じ、ピストンが行っているストロークによる圧力変動を弱めるのに貢献するであろう。
【００３５】
センサによる測定はまた、増幅器を介して、デジタル圧力ゲージ又はアナログ圧力ゲージ（電圧計又は電流計）へ信号を与える電気圧力変換器によって行ってもよい。温度が電気的に監視される場合も同じである。
【００３６】
センサ読取器の組合せの収益性をより一層高めるために、センサをプリント基板上に組み付けてもよく、センサは、流路を経由して測定空間と接続される。
【００３７】
第三の特徴では、本発明は、パラメータの大きさが閉鎖測定空間内で測定されるセンサ読取器の組合せに関する。
【００３８】
測定空間内の直接測定すると、圧力に関してだけでなく温度に関しても、例えばタイヤ空気入れ用のピストンフロアポンプにおいて、パラメータの大きさの変動を生じるであろう。ポンプ内部のタイヤ内の圧力をシミュレートするためには、調節された測定空間が必要であり、これが閉鎖空間によってなされるであろう。
【００３９】
パラメータの値が閉鎖測定空間内で測定される場合には、流体を入れ、それを測定し、それを読み取ることが必要である。その後、次回の測定のために、それを再び取り出す。例えばフロアポンプにおいてタイヤ内の圧力を測定する場合には、測定を可能とするため、測定空間の一部を、閉鎖測定空間内に入れてもよい。これは、逆止弁又は電気制御弁によって行ってもよい。測定後に閉鎖測定空間の内容物を再び取り出すために、新しい弁（逆止弁又は電気制御弁）を流路としてもよく、それは、とても小さいので動的摩擦が閉鎖測定空間からの流れをそれだけ遅らせるであろうが、この流れはそれほど測定に影響しない。また、この遅れを以下の目的のために用いてもよい。例えば、ピストンチャンバの組合せ内の圧力測定の場合、次回のポンプストロークの前までに、ピストンと逆止弁又はバルブコネクタとの間の空間の近傍の空間のこのパラメータの値が、ポンプストロークのその最大値に達するまで、ピストンがポンプストローク後に戻っているときに、タイヤ圧力の値を維持することが必要であろう。この値のその一時的な維持は、電子的に（例えばコンデンセータの使用によって）ＩＣを制御するソフトウェアによって、ＩＣを制御するメカトロニクス−ポンプに対するピストンロッドの位置によって、或いは、単に機械のみで、例えばバルブによって測定空間に接続されるであろう閉鎖測定空間（タイヤ空気入れ用のポンプの場合には、ピストンとバルブコネクタとの間、又はピストンと組合せ及びホース間の逆止弁との間の空間）によって行ってもよい。バルブは、開放と閉鎖が同時に起こるように、組合せとホースとの間のバルブと同一であるのが好ましいだろう。
【００４０】
閉鎖測定空間は、ポンプストローク時にピストンが戻る時に、圧力の最大値が一時的に維持されて、タイヤ内の圧力をシミュレートするように、極めて制御された方法で開く流路を含んでもよい。それは、閉鎖測定空間を測定空間と接続する、ごく小さな流路であってもよい。ポンプを動かす間、閉鎖測定空間の容積のうち非常に小さな部分が、測定空間へ流れ、読取りに少し影響を及ぼすかも知れないが、読取りにあまり関係しないポンプストロークの戻りストロークの間のみである。前記ごく小さな流路を通る流れは、その長さ、直径及び表面粗さに応じて、前記流路の動的摩擦によって制御されるだけでなく、同様にごく小さな穴を有するねじによっても、例えばねじ山が固定流体によって固定された場合にも制御されるであろう。
【００４１】
要求された圧力に達すると、ピストンの移動が止まり、閉鎖測定空間内の圧力が、タイヤの圧力である、測定空間内の圧力と等しくなるだろう。まず、ホースがタイヤバルブから切り離されると、（間に逆止弁があっても）測定空間内の圧力が大気圧まで減少し、閉鎖測定空間内の圧力が大気圧まで減少するだろう。圧力源から過圧が来ない場合、開放しているバルブコネクタを有することがより必要である。
【００４２】
圧力（又は温度）の維持を可能とするため、測定空間は、電気的に始動することができ、ポンプ動作が始動されているときに測定空間を閉鎖し、ポンプ動作がなされた一定の短時間後に開放する出口バルブを含む。これは、制御構成の一例に過ぎない。それはまた、手動で、例えばポンプ期間の前に測定空間を閉鎖するためのボタンを押し、その後前記ボタンを再び押すことによって再び開放することによって行ってもよい。
【００４３】
もちろん最良のシミュレーションは、入口及び出口弁を制御するコンピュータプログラムによって行うことができるが、前記は、電気的に／電子的に制御することができるバルブである。これは、空気入れ用途のフロアポンプの設備よりもずっと大型でより高価な、維持管理を要求するであろう設備で行われるであろう。
【００４４】
閉鎖空間を用いる、例えば欧州特許第１１７９１４０号による容器（包み）ピストン型（請求項５）の場合は、閉鎖空間は、好ましくは、電気ゲージを用いる場合、ピストンと逆止弁との間の空間の近傍の空間に対して、測定空間の後ろに位置するであろう。
【００４５】
空気式ゲージ（＝マノメータ）の場合、閉鎖空間は、測定空間とは独立して位置してもよい。これは、測定空間から空気式圧力ゲージへの別個の（測定）流路によってなされるであろう。
【００４６】
ピストンチャンバの組合せは、内側チャンバ壁が境界となる細長状チャンバを含み、前記チャンバの少なくとも第一及び第二長手方向位置間の前記チャンバに対して気密に移動可能である前記チャンバ内にピストン手段を含み、前記チャンバは、前記チャンバの第一及び第二長手方向位置において異なる断面積と、その第一及び第二長手方向位置間の中間の長手方向位置において少なくとも実質的に連続的に異なる断面積との断面を有し、第一長手方向位置における断面積は、第二長手方向位置における断面積よりも大きく、前記ピストン手段は、前記チャンバの第一長手方向位置から前記中間長手方向位置を通って第二長手方向位置への前記ピストン手段の相対移動の間、それ自身及び前記密封手段を、前記チャンバの前記異なる断面積に適合させるように設計され、ピストンは、変形可能な材料を含む弾性的に変形可能な容器を含む。前記ピストン手段は、変形可能な容器（包み）と連通する閉鎖空間を含んでもよく、閉鎖空間は、一定の容積を有してもよい。容器（又は包み）は膨張可能であってもよい。これは、タイヤ空気入れ用のフロアポンプにおける状況のように、もし閉鎖空間が比較的小さければ、閉鎖空間内部に測定流路又は導線ルームを有する際に、必要となるであろう。このピストン型の周方向寸法は、チャンバのそれである。
【００４７】
ピストンチャンバの組合せは、内側チャンバ壁が境界となる細長状チャンバを含み、チャンバの少なくとも第一長手方向位置と第二長手方向位置との間の前記チャンバ壁に対して気密に移動可能である前記チャンバ内にピストンを含み、前記チャンバは、前記チャンバの第一及び第二長手方向位置において異なる断面積及び異なる周方向長さと、第一及び第二長手方向位置間の中間の長手方向位置において少なくとも実質的に連続的に異なる断面積及び周方向長さとの断面を有し、前記第二長手方向位置における断面積及び周方向長さは、前記第一長手方向位置における断面積及び周方向長さよりも小さく、前記ピストンは、弾性的に変形可能な容器を含み、それによって、チャンバの前記中間長手方向位置を通る第一及び第二長手方向位置間のピストンの相対移動の間、ピストンの異なる断面積及び周方向長さをチャンバの前記異なる断面積及び異なる周方向長さに適合させるを含み、ピストンは、ピストンの周方向長さが前記第二長手方向位置における前記チャンバの周方向長さにおおよそ等しいというような、その応力のない変形無しの状態において容器の製造サイズを有するように生産され、容器は、その製造サイズから、チャンバの長手方向に関して横断する方向に拡大可能であり、それによって、前記第二長手方向位置から前記第一長手方向位置へのピストンの相対移動の間、その製造サイズからピストンの拡大をさせる。前記ピストン手段は、変形可能な容器（包み）と連通する閉鎖空間を含んでもよく、閉鎖空間は、一定の容積を有してもよい。
【００４８】
このピストン型の周方向寸法は、その最小の周方向寸法のチャンバのそれであってもよい。
【００４９】
例えば、欧州特許第１１７９１４０号による請求項１に係るピストン型を用いる場合、閉鎖空間４２（図３Ａ〜Ｃ）も、膨張ニップル４３（図３Ａ〜Ｃ）も必要ない。閉鎖空間は、流路５２（図３Ａ〜Ｃ）として、或いは測定空間のための入口流路として用いてもよい。逆止弁４３は、より逆の位置に置くべきである。
【００５０】
センサ読取器の組合せは、ポンプ、アクチュエータ、ショックアブソーバ又はモータなど、読取手段に対してセンサが遠隔に位置する任意の装置において用いてもよい。
【００５１】
上記の組合せは、その応用に適用可能であるのが好ましい。
【００５２】
本発明は流体を押し出すためのポンプであって、当該ポンプは、
上述した特徴のいずれかに関連付けられたピストンチャンバの組合せと、
前記チャンバの外部の位置から前記ピストン手段に係合するための手段と、
前記チャンバに接続され、バルブ手段を含む流体入口と、
前記チャンバに接続された流体出口と、
を備えるポンプに関する。
【００５３】
前記係合手段が、前記ピストン手段が前記チャンバの第一長手方向位置にある外部位置と、前記ピストン手段が前記チャンバの第二長手方向位置にある内部位置と、を有する、ポンプである。
【００５４】
前記係合手段が、前記ピストン手段が前記チャンバの第二長手方向位置にある外部位置と、前記ピストン手段が前記チャンバの第一長手方向位置にある内部位置と、を有するポンプである。
【００５５】
本発明は、
上述した特徴のいずれかに関連付けられたピストンチャンバの組合せと、
前記チャンバの外部の位置から前記ピストン手段に係合するための手段と、
前記チャンバの第一及び第二長手方向位置の間で前記ピストン手段を移動させるべく、流体を前記チャンバ内に導入するための手段と、
を備える、アクチュエータに関する。
【００５６】
前記アクチュエータは、前記チャンバに接続され、バルブ手段を有する流体入口を有し得る。
【００５７】
前記チャンバに接続され、バルブ手段を有する流体出口を更に設けられ得る。
【００５８】
前記アクチュエータは、前記第一長手方向位置または前記第二長手方向位置に向けて前記ピストン手段を付勢するための手段を更に備え得る。
【００５９】
更に、前記導入手段は、前記チャンバ内に圧縮流体を導入するための手段を備え得るアクチュエータである。
【００６０】
前記導入手段は、ガソリンまたはディーゼルのような可燃性流体を前記チャンバ内に導入するようになっており、当該アクチュエータは、前記可燃性流体を燃焼させるための手段を更に備え得るアクチュエータである。
【００６１】
前記導入手段は、膨張性流体を前記チャンバ内に導入するようになっており、当該アクチュエータは、前記膨張性流体を膨張させるための手段を更に備え得るアクチュエータである。
【００６２】
前記ピストン手段の並進運動を自身の回転運動に変換するように構成されたクランクを更に備えるアクチュエータである。
【００６３】
最後に、本発明は、
上述した組合せの特徴のいずれかに関連付けられた組合せと、  
前記チャンバの外部の位置から前記ピストンに係合するための手段と、  
を備え、  
前記係合手段は、前記ピストン手段が自身の第一長手方向位置にある外部位置と、前記ピストン手段が自身の第二長手方向位置にある内部位置と、を有する、ショックアブソーバに関する。
【００６４】
前記ショックアブソーバは、前記チャンバに接続され、バルブ手段を有する流体入口を更に備え得る。
【００６５】
前記ショックアブソーバは、前記チャンバに接続され、バルブ手段を有する流体出口を更に備え得る。
【００６６】
前記チャンバ及び前記ピストン手段は、少なくとも実質的に密封された空洞を形成し、前記空洞は、流体を含み、前記ピストン手段が前記チャンバの第一長手方向位置から第二長手方向位置に移動する際、前記流体は圧縮される、ショックアブソーバである。
【００６７】
前記ショックアブソーバは、前記チャンバの前記第一長手方向位置に向けて前記ピストン手段を付勢するための手段を更に備え得る。
【００６８】
流体出口を有するチャンバ内にあるピストンと、パラメータを計測するセンサを有するセンサ読取器の組合せと、を備え、前記センサは、前記チャンバの前記流体出口前で計測空間内の前記パラメータを計測するように構成されている、ピストンチャンバの組合せである。
【００６９】
流体出口には、逆止弁が設けられている、ピストンチャンバの組合せである。  
センサが、前記ピストン内の閉鎖計測空間内に配置されている、ピストンチャンバの組合せである。  
前記閉鎖計測空間と前記チャンバとの間に逆止弁を備える、ピストンチャンバの組合せである。
【００７０】
前記ピストンが、前記閉鎖計測空間を取囲む中空ピストンロッドを備える、ピストンチャンバの組合せである。
【００７１】
かなり小さい直径の流路が前記閉鎖計測空間を前記チャンバに接続する、ピストンチャンバの組合せである。
【００７２】
流路を通る流量を調整するねじを備える、ピストンチャンバの組合せである。
【００７３】
前記ねじが、前記流路の広げられた端部（幅広端）に対応して適合するテーパー状の頭部を有し、
流路が、前記頭部のテーパー側（先細側）から反対側に前記頭部を通るように流れる、ピストンチャンバの組合せである。
【００７４】
前記閉鎖計測空間が、コンピュータの制御の下で電気的に起動される入口バルブと出口バルブとを有する、ピストンチャンバの組合せである。
【００７５】
前記センサ読取器の組合せが、空気式または電気式圧力ゲージの群から選択される圧力ゲージと、電気式センサまたは電子式センサを組合せたアナログ電圧計またはデジタル電圧計または電流計と、ワイヤのような機械的伝導機器でアナログゲージまたはデジタルゲージに接続された変換器と、を備える、ピストンチャンバの組合せである。
【００７６】
センサ読取器の組合せが、温度センサを有する、ピストンチャンバの組合せである。
【００７７】
ポンプが、前記チャンバの外部の位置から前記ピストンに係合するための手段と、前記チャンバに接続され、バルブを含む流体入口と、を備えたピストンチャンバの組合せである。
【００７８】
前記ピストンが、前記ピストンロッドの先端に取手を有するピストンロッドを有し、前記ハンドルには電気式圧力ゲージまたは空気式圧力ゲージが設けられている、ピストンチャンバである。
【００７９】
チャンバ内にピストンと、ホースに接続された流体出口と、前記流体出口とホースとの間にある逆止弁と、を備えたポンプを利用して、ポンプを作動中にタイヤ内の圧力を計測する方法であって、前記ピストンが前記チャンバ内に押し込まれる際に、前記タイヤの圧力が少なくとも押込みストローク中に、前記逆止弁の前で、前記チャンバ内の圧力を計測することによって間接的に計測される方法である。
【００８０】
前記ピストン内の閉鎖計測空間内の圧力が計測されて、前記閉鎖計測空間が、開口を有し、逆止弁が設けられた前記チャンバに接続される方法である。前記逆止弁は、前記ピストンが押込みストローク中に前記チャンバ内に動く際には開接続を提供し、戻りストローク中には前記閉鎖計測空間の前記開口を閉鎖する。
【００８１】
装置のパラメータの大きさを計測するためのセンサ読取器の組合せであって、前記装置及び読取器は、互いに異なる物理的位置に配置されて、計測される前記パラメータの大きさに関して当該装置を示す計測空間内で測定が行われ、前記空間は当該読取器の近傍に配置される、センサ読取器の組合せである。
【００８２】
前記計測空間は、動作の一部の間に前記装置と連通する。    
前記センサと前記読取器は同一の組立体の一部である。  
前記空間に接続された空気式圧力ゲージによって、読取りが行われる。  
電気式センサまたは電子式センサを組合せたアナログ電圧計またはアナログ電流計によって、パラメータの読取りが行われる。  
パラメータの読取りが、電気式センサまたは電子式センサを組合せたデジタル電圧計またはデジタル電流計によってなされる。
【００８３】
前記センサは、流路を通って前記計測空間に接続される。  
前記パラメータは、閉鎖計測空間内で計測される。  
前記閉鎖計測空間は、当該閉鎖計測空間と前記計測空間とを接続する入口逆止弁を有する。  
前記閉鎖計測空間の前記入口逆止弁は、前記計測空間の出口逆止弁と同一である。  
前記閉鎖計測空間は、当該閉鎖計測空間と前記計測空間とを接続する出口逆止弁を有し得る。  
前記閉鎖計測空間は、当該閉鎖計測空間と前記計測空間とを接続する流路を有し得る。
【００８４】
前記流路は、かなり小さい径を有し得る。  
前記流路は、ねじを有し得る。
【００８５】
前記ねじは、小溝を有し得る。
【００８６】
前記流路は、前記ねじに向かって広がる端部を有し得る。
【００８７】
前記ねじは、前記流路に向かってテーパーが付いた端部を有し得る。
【００８８】
ワイヤのような機械的伝導機器でアナログ電子式ゲージ及び／またはデジタルゲージに接続され、前記計測空間と連通する変換器によって、計測が行われ得る。
【００８９】
測定用の流路によって計測空間を空気式ゲージ（マノメータ）の入口に接続することによって、計測が行われ得る。
【００９０】
ワイヤのような機械的伝導機器でアナログ電子式ゲージ及び／またはデジタルゲージに接続された変換器を、前記閉鎖計測空間に接続することによって計測が行われ得る。
【００９１】
前記閉鎖計測空間は、電気的に起動され、前記計測空間を開放または閉鎖し、コンピュータによって制御される入口弁及び出口弁を備え得る。
【００９２】
以下、本発明の好ましい実施形態を、図面を参照しながら説明する。
【図面の簡単な説明】
【００９３】
【図０Ｌ】左側に、空気式圧力／温度計とピストンロッド内の流路との組合せを示し、測定点は、測定空間内と連通する流路の端部にあり、図の下側部分を２：１に拡大している。拡大した詳細も示す。
【図０Ｒ】右側には、空気式圧力／温度計とピストンロッド内の導線ルームとの組合せを示し、測定点は、ピストンロッドの端部の変換器にあり、変換器は測定空間と連通し、図の下側部分を２：１に拡大している。拡大した詳細も示す。
【図１Ａ】取手の頂部に電気ゲージが取り付けられた、膨張性ピストンを有するフロアポンプのピストンロッドの頂部と、包囲された測定空間内の変換器を有するピストンロッドの底部とを示す。
【図１Ｂ】図１Ａの底部を縮尺２：１で示す。
【図２Ａ】膨張性ピストンを有するフロアポンプのピストンロッドの頂部と、取手の頂部に取り付けられた空気式ゲージ、包囲された測定空間内で終わる中間流路を示す。
【図２Ｂ】図２Ａの底部を縮尺２：１で示す。
【図３Ａ】膨張性ピストンを有するフロアポンプのピストンロッドの頂部と、取手の頂部に取り付けられた空気式ゲージと、包囲された測定空間内に取り付けられたピストンロッドの底部とを示す。
【図３Ｂ】図３Ａの底部を縮尺２．５：１で示す。
【図３Ｃ】図３Ｂの囲まれた測定空間の出口流路を縮尺６：１で示す。
【図３Ｄ】図３Ｃの出口流路の詳細を５：１の縮尺で示す。
【図４】例えばタイヤ空気入れ用の進歩したフロアポンプの底部を示す。
【図５Ａ】取手に取付けられたゲージハウジングの断面を示す。当該断面において、閉鎖空間がＯリングを介して閉鎖されている。
【図５Ｂ】Ｏリング組立体の詳細を示す。
【図６Ａ】取手に取付けられたゲージハウジングの断面を示す。当該断面において、閉鎖空間がゲージ近傍の密封材によって閉鎖されている。
【図６Ｂ】図６Ａの詳細を示す。
【発明を実施するための最良の形態】
【００９４】
図０の左側に、空気式圧力ゲージハウジング１０１の測定値の読取点１００を示す。前記圧力ゲージの内部には、機械的マノメータ１０２（図示せず）がある。前記ゲージハウジング１０１は、ピストンロッド１０３の上に取り付けられる。ピストンロッド１０３は、流路１０４を有する中空であり、それは、チューブ１１３の内部に測定流路１０７を有するチューブを取り付け、これによって、空気式圧力ゲージ１０２と流路１０７の底部の流路１０８の入口１０８との間の連通が可能となる。ハウジング１０１の測定点１０８は、マノメータの入口にある。測定室１１１がある。取手２がある。サスペンション１０９がある。スプリングワッシャ６がある。ボルト７がある。流路１０７のサスペンション１１０は、ピストンロッド１０３の頂部にある。ピストンのサスペンション１１２がある。チューブ１１３がある。
【００９５】
図０の右側には、電気式圧力／温度ゲージハウジング１２１の測定値の読取点１２０を示す。前記ハウジング１２１は、アナログ／デジタル電気ゲージ１２２（図示せず）を含む。前記ゲージ１２２は、ピストンロッド１２３の上に取り付けられる。ピストンロッド１２３は、流路１２４を有する中空であり、その中に導線ルーム１２５が取り付けられる。前記導線ルーム１２５は変換器１５と接続され、それは台１６上に取り付けられ、これによって、前記ゲージ１２１とピストンロッド１２３の底部の測定点１２８との間の連通が可能となる。測定空間１３０がある。取手２がある。スプリングワッシャ６がある。ボルト７がある。流路１２４のサスペンション１２９は、ピストンロッド１２３の頂部にある。移行部２２がある。ピストンのサスペンション１３１がある。
【００９６】
図１Ａに、取手２及び電気（圧力／温度）ゲージ３を有するピストンロッド１の頂部を示す。ゲージ３は、取手２上に取り付けられる。ピストンロッド１は、膨張性ピストンのための閉鎖空間８として機能する上部空間４．１を有し、そのうち、そのサスペンション５の底部分のみを示している。スプリングワッシャ６がある。ボルト７の頂部は、上部空間４．１と直接に接続される、閉鎖空間８の底部空間４．２とともに示される。ボルト１０の頂部にはバルブ本体９が取り付けられ、ナット１０によって固定される。中心ピン１１は、バルブ本体９内の心棒１２に対する閉鎖位置に示される。このバルブ１１は、閉鎖空間８を必要な圧力に保つのに役立っている。バルブ本体９上には、閉鎖測定空間１４のハウジング１３が取り付けられる。台１６上に取り付けられる（圧力）変換器１５が示される。開口が閉鎖測定空間１４の壁１７と変換器１５との間にあるので、この台１６は、変換器１５の穏やかな作動を可能とする。バルブ１８は、測定空間１４を、組合せの出口の近傍の測定空間１９と接続する。中空ピストンロッド１の頂部は、充填材２０で閉鎖され、それは、圧力変換器１５からゲージ３への必要な導線ルーム２１をきつく閉鎖する。配線の残りは示されていない。移行部２２は、充填材２０がピストンロッドからとび出るのを防止する。閉鎖測定空間１４の出口弁は、示されていない。
【００９７】
図１Ｂに、図１Ａの底部分を縮尺２：１で示す。
【００９８】
図２Ａに、取手２及び空気式圧力ゲージ３３を有するピストンロッド３１の頂部を示す。前記ゲージ３３は、取手２に取り付けられる。ピストンロッド３１は、膨張性ピストンのための閉鎖空間３２の上側部分として機能する空間３４．１を有し、そのうち、そのサスペンション５の底部分のみが示されている。スプリングワッシャ６がある。ボルト７の頂部は、閉鎖空間３２の下側部分として機能する部分３４．２とともに示されており、それは空間３４．１と直接に接続される。ボルト７の頂部には本体３９が取り付けられ、ナット１０で固定される。本体３９上には、閉鎖測定空間１４のハウジング１３が取り付けられる。チューブ３６．２内部の測定流路３６の端部３５が示され、それは、ピストンロッド３１の頂部３７内にしっかりと取り付けられ、空気式圧力ゲージに接続される。バルブ１８は、閉鎖測定空間１４を、組合せの出口の近傍の測定空間３８と接続する。測定空間３２の出口弁は示されていない。
【００９９】
図２Ｂに、図２Ａの底部分を縮尺２：１で示す。
【０１００】
図３Ａに、取手２及び電気圧力ゲージ４１を有するピストンロッド４０の頂部を示す。ゲージ４１は、取手２に取り付けられる。ピストンロッド４０は、ピストンの加圧を保つための閉鎖空間４２を有する。前記空間は、ピストンと連通可能である（例えば、国際公開第ＷＯ２０００／０７０２２７号、又は第ＷＯ２００２／０７７４５７号、又は第ＷＯ２００４０３１５８３号を参照）。ピストンの所望レベルへの加圧は、逆止弁４４内に構造を有する膨張ニップル４３を通して、外部圧力源（図示せず）によってなされる。逆止弁４４の出口穴６６がある。ニップル４３は、ピストンロッド４０の底部に位置し、ボルト４６のヘッド４５内に構成される。閉鎖測定空間４７は、ボルト４６のヘッド４５内の別のハウジング４８内に構成される。前記閉鎖測定空間は、逆止弁４９を介して測定空間５０と接続される。前記逆止弁４９は、別のハウジング５１内に構成される。（垂直）流路５２は、（水平）流路５３によって、流路３６．２内部の閉鎖測定空間４７に接続され、閉鎖測定空間４７内の密封手段５４、例えばＯリングによって密封される。キャップ５５は、Ｏリングのパッキン押えの一部である。変換器１５は、流路５７の底部５６上の変換器１５に取り付けられ、流路５２は、電気圧力ゲージ４１まで導線ルーム５７で満たされるか、或いは、流路５２は空いていて、電気圧力ゲージ４１の内部で、流路５２の頂部５８に変換器１５が取り付けられる。
【０１０１】
図３Ｂに、図３Ｂの底部分を縮尺６：１で示す。
【０１０２】
図３Ｃに、閉鎖測定空間（４７、４３、５２）の一部を、図３Ｂに対して６：１の縮尺で示す。ねじ６０を有するボルト４６のヘッド４５内の出口流路５９は、閉鎖測定空間４７のハウジング４８内のごく小さな流路６１を通る流れを定める。流路６１は、ねじ５７の先細端６３に適合する幅広端６２を有する。ねじ６０内には、流路６１を出口流路５９とつなぐ流路６４がある。
【０１０３】
図３Ｄに、図３Ｃの詳細を縮尺５：１で示す。幅広端６２と先細端６３との間に、非常に小さな空間６５がある。それは、流路５３からの流れを定める。
【０１０４】
図４に、例えばタイヤ空気入れ用の進歩したフロアポンプの底部７０を示す。柔軟性マンシェット７１は、円錐形成管７２を所定位置に維持する。膨張性ピストン７３がある。ピストンロッド７４の底部に、クルー５７の構成（試作品についてのみ必要であろう）無しで、図３Ａ〜Ｄの実施形態が取り付けられる。閉鎖空間４２がある。流路３６．２がある。入口逆止弁７５がある。出口逆止弁７６がある。ホース７７がある。測定空間７８、７９（ホース内部）がある。バルブコネクタ８０（図示せず）がある。バルブコネクタ８１内部の空間もまた、測定空間（図示せず）の一部である。ポンプの中心軸８２がある。
【０１０５】
図５Ａは、図４のフロアポンプの取手８５にあるゲージハウジングの組立体を示す。先端部８３と底部８４とは、ねじ（図示せず）で組付けられている。ニップル８６に取付けられたピストンロッド７４に、取手８５が取付けられている。これは、スプリングワッシャ８７及びスペーサ８８を介して取付けられる。ワッシャ９０を有するナット８９が、取手８５の位置を保持する。ピストンロッド７４は、Ｏリング９５を介して空間９１から恒久的に隔てられた閉鎖空間４２を有する。Ｏリング９５が、ニップル８６内に取付けられ、閉鎖計測空間５２を有するチューブ３６．２を締結している。これにより、閉鎖空間４２を一定の体積にしている。チューブ３６．２に空気式圧力ゲージ９２を取付け可能とするべく、チューブは、Ｓ字状屈曲部９４と、先端部にニップル９３と、を有している。ニップル９３は、ゲージハウジングに密封的に取付けられている（図示せず）。空気式圧力ゲージは、例えばねじ（図示せず）によって、空気式圧力ゲージハウジングの先端部８３内に取付けられている。中心軸８２がある。
【０１０６】
図５Ｂは、Ｏリングの組立体の詳細を示す。Ｏリング９５が取付けられたパッキン押さえ９６が、チューブ３６．２を密封している。空間９１がある。閉鎖計測空間５２がある。中心軸８２がある。
【０１０７】
図６Ａは、図４のフロアポンプの取手８５にあるゲージハウジングの組立体を示す。先端部１３３と底部１３４とは、ねじ（図示せず）で組付けられている。ニップル１３６に取付けられたピストンロッド７４に、取手８５が取付けられている。これは、スプリングワッシャ８７及びスペーサ８８を介して取付けられる。ワッシャ９０を有するナット８９が、取手８５の位置を保持する。ニップル９３が、ゲージハウジングに密封的に取付けられている（図示せず）。ピストンロッド７４は、閉鎖空間４２を有する。密封材１３５が電気式圧力ゲージ１３２とゲージハウジングの先端部１３３との間に設けられており、閉鎖空間４２を密封している。これにより、閉鎖空間４２を一定の体積にしている。電気式／電子式圧力ゲージは、例えばねじ（図示せず）によってゲージハウジングの先端部８３に取付けられている。センサ１３７（図示せず）が、ゲージハウジングの先端部１３３内にあって、かつ、閉鎖計測空間５２の先端にある。センサ１３７は、閉鎖計測空間５２と連通している（図示せず）。チューブ１３８が、閉鎖計測空間５２を含んでいる。中心軸８２がある。
【０１０８】
図６Ｂは、閉鎖空間４２及び閉鎖計測空間５２の詳細を示す。チューブ１３８がある。中心軸８２がある。チューブ１３８がある。
【符号の説明】
【０１０９】
（ピストンチャンバの組合せの符号）
１ ピストンロッド 図１Ａ
２ 取手 図１Ａ／２Ａ／０
３ ゲージ 図１Ａ
４．１ （閉鎖空間８の）上部空間 図１Ａ
４．２ （閉鎖空間８の）底部空間 図１Ａ
５ （膨張性ピストンの）サスペンション 図１Ａ／１Ｂ／２Ａ／２Ｂ
６ スプリングワッシャ 図１Ａ／１Ｂ／２Ａ／２Ｂ／０
７ ボルト 図１Ａ／１Ｂ／２Ａ／２Ｂ／０
８ （膨張性ピストン用の）閉鎖空間 図１Ａ／１Ｂ／２Ａ
９ バルブ本体 図１Ａ／１Ｂ
１０ ナット 図１Ａ／１Ｂ／２Ａ／２Ｂ
１１ 中心ピン 図１Ａ／１Ｂ
１２ 心棒 図１Ａ／１Ｂ
１３ ハウジング 図１Ａ／１Ｂ／２Ａ／２Ｂ
１４ 閉鎖測定空間 図１Ａ／１Ｂ／２Ａ／２Ｂ
１５ 変換器 図１Ａ／１Ｂ／０Ｒ
１６ 台 図１Ａ／１Ｂ／０Ｒ
１７ （測定空間の）壁 図１Ａ／１Ｂ／２Ａ／２Ｂ
１８ バルブ 図１Ａ／１Ｂ／２Ａ／２Ｂ
１９ 測定空間 図１Ａ
２０ 充填材 図１Ａ
２１ 導線ルーム 図１Ａ
２２ 移行部 図１Ａ／０Ｒ
３１ ピストンロッド 図２Ａ
３３ ゲージ 図２Ａ
３４．１ 空間（閉鎖空間３２の上部） 図２Ａ
３４．２ 空間（閉鎖空間３２の下部） 図２Ａ／２Ｂ
３５ 端部 図２Ａ／２Ｂ
３６．１ 測定流路 図２Ａ／２Ｂ
３６．２ チューブ 図２Ａ／３Ｂ／４／５Ａ／５Ｂ
３７ 頂部 図２Ａ
３８ 測定空間 図２Ａ
４０ ピストンロッド 図３Ａ／３Ｂ
４１ 電気圧力ゲージ 図３Ａ／３Ｂ
４２ 閉鎖空間 図３Ａ／３Ｂ／４／５Ａ／５Ｂ／６Ａ／６Ｂ
４３ 膨張ニップル 図３Ａ／３Ｂ
４４ 逆止弁 図３Ａ／３Ｂ
４５ ヘッド 図３Ａ／３Ｂ
４６ ボルト 図３Ａ／３Ｂ
４７ 閉鎖測定空間 図３Ａ／３Ｂ
４８ ハウジング 図３Ａ／３Ｂ
４９ 逆止弁 図３Ａ／３Ｂ
５０ 測定空間 図３Ａ／３Ｂ
５１ ハウジング 図３Ａ／３Ｂ
５２ 流路 図３Ａ／３Ｂ／５Ｂ／６Ｂ
５３ 流路 図３Ａ／３Ｂ
５４ 密封手段 図３Ａ／３Ｂ
５５ キャップ 図３Ａ／３Ｂ
５６ 底部 図３Ａ／３Ｂ
５７ 導線ルーム 図３Ａ／３Ｂ
５８ 頂部 図３Ａ／３Ｂ
５９ 出口流路 図３Ｃ
６０ ねじ 図３Ｃ
６１ 流路 図３Ｃ
６２ 幅広端 図３Ｃ
６３ 先細端 図３Ｃ
６４ 流路 図３Ｃ
６５ 空間 図３Ｄ
６６ 出口穴 図３Ａ／３Ｂ
７０ 底部 図４
７１ マンシェット 図４
７２ 管 図４
７３ ピストン 図４
７４ ピストンロッド 図４／５Ａ／６Ａ
７５ 入口逆止弁 図４
７６ 出口逆止弁 図４
７７ ホース 図４
７８ 測定空間 図４
７９ 測定空間 図４
８０ バルブコネクタ 図４
８１ 空間 図４
８２ 中心軸 図４／５Ａ／５Ｂ６Ａ／６Ｂ
８３ （ゲージ組立体の）先端部 図５Ａ
８４ （ゲージ組立体の）底部 図５Ａ
８５ 取手 図５Ａ
８６ ニップル 図５Ａ／５Ｂ
８７ スプリングワッシャ 図５Ａ／６Ａ
８８ スペーサ 図５Ａ／６Ａ
８９ ナット 図５Ａ／６Ａ
９０ ワッシャ 図５Ａ／６Ａ
９１ 空間 図５Ａ／５Ｂ
９２ 空気式圧力ゲージ 図５Ａ
９３ ニップル 図５Ａ／６Ａ
９４ Ｓ字状屈曲部 図５Ａ
９５ Ｏリング 図５Ａ／５Ｂ
９６ パッキン押さえ 図５Ｂ
１００ 読取点 図０Ｌ
１０１ ハウジング 図０Ｌ
１０２ マノメータ 図０Ｌ
１０３ ピストンロッド 図０Ｌ
１０４ 流路 図０Ｌ
１０５ 頂部 図０Ｌ
１０６ 底部 図０Ｌ
１０７ 測定流路 図０Ｌ
１０８ 測定点 図０Ｌ
１０９ サスペンション 図０Ｌ
１１０ サスペンション 図０Ｌ
１１１ 測定空間 図０Ｌ
１１２ サスペンション 図０Ｌ
１１３ チューブ 図０Ｌ
１２０ 読取点 図０Ｒ
１２１ ハウジング 図０Ｒ
１２２ ゲージ 図０Ｒ
１２３ ピストンロッド 図０Ｒ
１２４ 流路 図０Ｒ
１２５ 導線ルーム 図０Ｒ
１２６ 頂部 図０Ｒ
１２７ 底部 図０Ｒ
１２８ 測定点 図０Ｒ
１２９ サスペンション 図０Ｒ
１３０ 測定空間 図０Ｒ
１３３ （ゲージ組立体の）先端部 図６Ａ
１３４ （ゲージ組立体の）底部 図６Ａ
１３５ 密封材 図６Ａ
１３６ ニップル 図６Ａ／６Ｂ
１３７ センサ 図６Ａ
１３８ チューブ 図６Ａ／６Ｂ
【図０Ｌ】
2012514203.tif 000003
【図０Ｒ】
2012514203.tif 000004
【図１Ａ】
2012514203.tif 000005
【図１Ｂ】
2012514203.tif 000006
【図２Ａ】
2012514203.tif 000007
【図２Ｂ】
2012514203.tif 000008
【図３Ａ】
2012514203.tif 000009
【図３Ｂ】
2012514203.tif 000010
【図３Ｃ】
2012514203.tif 000011
【図３Ｄ】
2012514203.tif 000012
【図４】
2012514203.tif 000013
【図５Ａ】
2012514203.tif 000014
【図５Ｂ】
2012514203.tif 000015
【図６Ａ】
2012514203.tif 000016
【図６Ｂ】
2012514203.tif 000017
【国際調査報告】
2012514203.tif 000018
2012514203.tif 000019
2012514203.tif 000020